(57)【要約】【課題】  スキャン動作速度とプリント動作速度が異なる場合に、高速な複写動作を行うことができる画像形成装置を提供する。【解決手段】  原稿画像を読み取るスキャナデバイス３２と、読み取った画像データを蓄積するメモリデバイス３３と、メモリデバイス３３から読み出した画像データを印刷するプロッタデバイス３１と、スキャナデバイス３２、メモリデバイス３３、及び、プロッタデバイス３１の動作を制御するデバイスマネージャ２１を備え、スキャナデバイス３２のスキャン速度が各読み取り動作モードに応じて可変となる画像形成装置において、デバイスマネージャは、スキャナデバイス３２からのスキャン速度値とプロッタデバイス３１からの印刷速度値を受け取り、受け取った速度値からメモリデバイス３３の読み出し可能タイミングを算出し、算出した読み出し可能タイミングに基づいて、プロッタデバイス３１の印刷開始要求を生成して、メモリデバイス３３から読み出した画像データの印刷処理が開始されるように制御する。【選択図】      図２
2006007736.tif 000002
【特許請求の範囲】
【請求項１】
原稿画像を読み取るスキャナと、該スキャナが読み取った画像データを蓄積するメモリ手段と、該メモリ手段から読み出した画像データを印刷する印刷手段と、前記スキャナのスキャン速度値と前記印刷手段の印刷速度値から読み出し可能タイミングを算出するメモリデバイスと、前記スキャナ、前記メモリ手段、及び、前記印刷手段の各動作を制御するデバイスマネージャとを備えた画像形成装置において、
前記スキャナのスキャン速度が各読み取り動作モードに応じて可変となる画像形成装置において、
前記デバイスマネージャは前記スキャナからのスキャン速度値と印刷手段からの印刷速度値を受け取り、受け取った速度値を前記メモリデバイスに通知すると共に、
前記メモリデバイスは、前記スキャナからの画像データの蓄積中に該画像データの読み出し準備の要求を前記デバイスマネージャから受けた場合に前記通知された速度値から読み出し可能タイミングを算出して前記デバイスマネージャに通知し、
前記印刷手段は、前記読み出し可能の通知に基づいて前記デバイスマネージャにて生成される印刷開始要求により、前記メモリデバイスから読み出された画像データの印刷処理を開始することを特徴とする画像形成装置。
【請求項２】
前記スキャナは、前記デバイスマネージャにスキャン速度値を通知するにあたり、前記メモリデバイスへの画像データ蓄積動作前に、前記デバイスマネージャに指示された読み取り動作モードに応じたスキャン速度値を通知することを特徴とする請求項１記載の画像形成装置。
【請求項３】
請求項２に記載の画像形成装置において、前記スキャナは、読み取り動作がカラーモードか白黒モードかによって前記デバイスマネージャに通知するスキャン速度が異なることを特徴とする画像形成装置。
【請求項４】
請求項２に記載の画像形成装置において、前記スキャナは、読み取り解像度によって、前記デバイスマネージャに通知するスキャン速度が異なることを特徴とする画像形成装置。
【発明の詳細な説明】
【技術分野】
【０００１】
本発明は、デジタル複写機の如くスキャナにより読み取った原稿画像を記憶装置に記憶してから印刷出力する画像形成装置に関する。
【背景技術】
【０００２】
従来から、スキャナにより原稿画像を読み取ると共に、読み取った画像データを出力し、出力した画像データを記憶装置に一旦記憶した後、記憶装置から読み出した画像データを印刷装置により印刷出力するように構成したデジタル複写機が知られている。
特許文献１に示される技術によれば、スキャン動作速度とプリント動作速度が異なる場合に、デバイスマネージャがスキャナと印刷装置の動作速度を鑑みて、スキャナによる記憶装置への画像蓄積動作完了前に印刷装置に対して読み取り開始を指示することにより、複写動作のスループット低下を防ぎ、複写動作の生産性の低下を最小限に抑えることが可能になっている。
【特許文献１】特開２０００−７８３２６公報
【発明の開示】
【発明が解決しようとする課題】
【０００３】
しかしながら、上記した特許文献１では、デバイスマネージャがスキャナ/印刷装置の動作速度を予め知っているという前提の制御方式であり、マネージャ層がデバイス層の性能、例えばスキャナ線速／プロッタ線速などを認識しておく必要がある。すなわち、画像形成装置に接続されるデバイスの線速が変更されると、スキャナ・プロッタ線速に応じた読み取り開始指示制御内容に変更が発生することとなり、スキャナ・プロッタデバイスの線速スペック変更によって他のモジュールの制御ソフトに影響を及ぼすことになる。また同一デバイスを使用する場合においても、読み取りモード、例えばカラー／白黒モード、解像度等の違いによってスキャナデバイスの線速値が異なる場合があり、そうしたスキャナデバイスを搭載した複写装置では特許文献１に開示されている制御方式は適用できない。
そこで、本発明では上記した問題を解決するため、例えば各動作モードに応じてスキャナから送られてくる線速情報をデバイスマネージャに通知し、デバイスマネージャにおいてその線速情報から最適な印刷手段への読み取り開始指示タイミングを割り出し、高速な複写動作を行うことが可能な画像形成装置を提供することを目的とする。
【課題を解決するための手段】
【０００４】
上記目的を達成するため、請求項１記載の本発明は、原稿画像を読み取るスキャナと、該スキャナが読み取った画像データを蓄積するメモリ手段と、該メモリ手段から読み出した画像データを印刷する印刷手段と、前記スキャナのスキャン速度値と前記印刷手段の印刷速度値から読み出し可能タイミングを算出するメモリデバイスと、前記スキャナ、前記メモリ手段、及び、前記印刷手段の各動作を制御するデバイスマネージャとを備えた画像形成装置において、前記スキャナのスキャン速度が各読み取り動作モードに応じて可変となる画像形成装置において、前記デバイスマネージャは前記スキャナからのスキャン速度値と印刷手段からの印刷速度値を受け取り、受け取った速度値を前記メモリデバイスに通知すると共に、前記メモリデバイスは、前記スキャナからの画像データの蓄積中に該画像データの読み出し準備の要求を前記デバイスマネージャから受けた場合に前記通知された速度値から読み出し可能タイミングを算出して前記デバイスマネージャに通知し、前記印刷手段は、前記読み出し可能の通知に基づいて前記デバイスマネージャにて生成される印刷開始要求により、前記メモリデバイスから読み出された画像データの印刷処理を開始することを特徴とする。
請求項２記載の本発明は、前記スキャナは、前記デバイスマネージャにスキャン速度値を通知するにあたり、前記メモリ手段への画像データ蓄積動作前に、前記デバイスマネージャに指示された読み取り動作モードに応じたスキャン速度値を通知することを特徴とする。
請求項３記載の本発明は、請求項２に記載の画像形成装置において、前記スキャナは、読み取り動作がカラーモードか白黒モードかによって前記デバイスマネージャに通知するスキャン速度が異なることを特徴とする。
請求項４記載の発明は、請求項２に記載の画像形成装置において、前記スキャナは、読み取り解像度によって、前記デバイスマネージャに通知するスキャン速度が異なることを特徴とする。
【発明の効果】
【０００５】
請求項１の本発明では、画像形成装置で複写動作を行う場合、スキャナによる原稿の読み込みからプロッタによる印刷までの時間を最小限にして全体のスループットも最大限まで上げることができる。
また請求項１記載の本発明は、スキャナやプロッタから各々の線速情報を受け取り、その線速情報からプロッタの読み出し可能タイミングを算出しているので、システムが搭載しているスキャナやプロッタの線速値に関係なく、デバイスマネージャ側の読み出し可能タイミングを算出する制御を共通化することが可能となる。
また請求項２、３、４の本発明によれば、スキャナが画像データの転送動作前に各種読み取りモードに応じた読み取り線速値をデバイスマネージャに通知し、その線速情報からプロッタの読み出し可能タイミングをデバイスマネージャが算出しているので、読み取り／印刷モードによって線速の異なるデバイスに対応しているだけでなく、読み取り線速が読み取りモードによって可変な場合においても対応可能になる。
【発明を実施するための最良の形態】
【０００６】
以下、本発明を図示した実施形態に基づいて説明する。
図１は、本発明の画像形成装置の一実施形態の概略構成を示すブロック図である。図１に示すように、本実施形態の画像形成装置の横成は、大きく３つの階層に分けられる。図１における一番上の層はアプリケーション層１であり、コピーを行うためのソフトウエアであるコピーアプリケーション１１、ファクシミリ送信／受信を行うためのソフトウエアであるファクシミリアプリケーション１２、パーソナルコンピュータ（ＰＣ）からのファイル印刷をコントロールするソフトウエアであるプリンタアプリケーション１３等を有する。各アプリケーションは、画像形成装置におけるハードディスクやリードオンリーメモリ（ＲＯＭ）等の不揮発性記憶装置、及び、それらの不揮発性記憶装置から読み出されてランダムアクセスメモリ（ＲＡＭ）等の揮発性記憶装置上に保持される。２番目の層はデバイスマネージャ層２であり、上記各アプリケーションからのプロセス実行要求を保持し、そのプロセス内容に応じて各デバイスを動作させて画像処理を行うタイミングを制御するデバイスマネージャ２１を有する。デバイスマネージャ２１も、画像形成装置におけるハードディスクやリードオンリーメモリ（ＲＯＭ）等の不揮発性記憶装置、及び、それらの不揮発性記憶装置から読み出されてランダムアクセスメモリ（ＲＡＭ）等の揮発性記憶装置上に保持される。３番目の層はデバイス層３であり、画像転送などの処理を実際に行うデバイスを有する。それぞれのデバイスは図示しない画像データバスにより接続されており、お互いの間で画像データを相互に転送することができる。
プロッタデバイス３１は、本発明における印刷手段として用いられ、用紙に印刷を行うためのデバイスである。プロッタデバイス３１は、感光体ドラム上に潜像を形成するための書き込みレーザー出力ユニットＬＤ３１１、レーザー出力ユニットＬＤ３１１からのレーザー光をスキャンするためのポリゴンモータ３１２等の制御を行う。レーザー出力ユニットＬＤ３１１からのレーザー光を変調するための画像データは、スキャナデバイス３２、メモリデバイス３３、外部画像処理部３４の何れのデバイスからも受け取ることができる。スキャナデバイス３２は、原稿をスキャンするためのデバイスであり、原稿画像の照射／読込を行う露光ランプ／ＣＣＤ３２２、スキャナキャリッジを駆動するスキャナモータ３２１等の制御を行う。メモリデバイス３３は、本発明におけるメモリ手段として用いられ、他のデバイスから転送されてきた画像データを画像蓄積ハードディスク（ＨＤ）３３１に蓄積したり、逆にＨＤ３３１内の画像データを他のデバイスからの要求に従ってメモリに展開する等の制御を行う。このメモリデバイス３３は、画像を書き込む動作を行うためのアドレスと、画像を読み出すためのアドレスをそれぞれ独立して備えている。そのため、メモリに画像を書き込みながら、一方で画像を非同期に読み出すことができるように構成されている。外部画像処理部３４は、他のデバイスから転送されてきた画像データを、ネットワーク回線３４１経由でＰＣ等の外部からの画像データを、展開して他のデバイスに送るなどの制御を行う。
【０００７】
次に、本発明では、スキャナのスキャン速度（スキャナ線速Ｖｓ）と、プロッタデバイス３１の印刷速度（プロッタ線速Ｖｐ）が異なる画像形成装置に対するものであるので、図１の構成は、例えば、プロッタ線速Ｖｐがスキャナ線速Ｖｓより早い場合には図２に示すように制御される。図２は、図１の画像形成装置における複写制御の一実施形態を示すタイミングチャートである。図２における一番上の層は、デジタル複写機におけるソフトウエアのアプリケーションを有するアプリケーション層であり、その中には、コピーを行うためのコピーアプリケーション、ファクシミリ送信／受信を行うためのファクシミリアプリケーション、パーソナルコンピュータ（ＰＣ）からのファイル印刷をコントロールするプリンタアプリケーション等が含まれる。２番目の層は、デジタル複写機における各デバイスの制御を行うデバイスマネージャを有するデバイスマネージャ層であり、上記各アプリケーションからのプロセス実行要求を一旦レジスタに蓄積（キューイング）し、その要求されたプロセスの内容に応じて各デバイスを動作させて画像処理を行うタイミングを制御するデバイスマネージャ（以下ＤＭと記す）を有する層である。３番目の層（最下層）は、画像転送などの処理を実際に行うデバイスを有するデバイス層であり、プロッタデバイス３１やメモリデバイス３３やスキャナデバイス３２等の各デバイスが画像データバスにより接続されており、お互いに画像データを転送することができるようになっている。
まず、アプリケーション層からは、スキャナデバイス３２により読み込んだ画像データをメモリデバイス３３に書き込む要求のプロセス信号Ｐ１と、メモリデバイス３３からその画像データを読み出してプロッタデバイス３１にて印刷する要求のプロセス信号Ｐ２とを続けてＤＭに送出する。
ＤＭでは、プロセス信号Ｐ１を受信するとデバイス層のスキャナデバイス３２とメモリデバイス３３に対して各デバイスの準備要求信号（Ａ）を送出する。準備要求信号（Ａ）を受信したスキャナデバイス３２では、露光ランプを点灯する等の読み取り動作の準備を行い、ＤＭに対して準備完了信号（Ｃ）を返送する。一方、準備要求信号（Ａ）を受信したメモリデバイス３３では、メモリクリア或いはハードディスク３３１との間で転送を行うためのネゴシエーション等の書き込み動作するための準備を行い、ＤＭに対して準備完了信号（Ｃ）を返送する。スキャナデバイス３２とメモリデバイス３３の両デバイスからの準備完了信号（Ｃ）を受信したＤＭは、プロセス信号Ｐ１によるメモリ書込を開始するための開始要求信号（Ｄ）をスキャナデバイス３２とメモリデバイス３３に対して送出する。これにより、スキャナデバイス３２から読み込まれた画像データのメモリデバイス３３への書き込みが開始される。
【０００８】
メモリ書込要求のプロセス信号Ｐ１の要求直後に送信されたプロッタ書出要求のプロセス信号Ｐ２に対しては以下のような動作を行う。プロセス信号Ｐ２は、上記のようにメモリデバイス３３から画像データを読み出してプロッタデバイス３１にて印刷する要求のプロセス信号である。ＤＭがプロセス信号Ｐ２を受信した時は、まだプロッタデバイス３１は何の処理も実行していない（１枚目の印刷を実行していない）ため、ＤＭはプロッタデバイス３１に対してすぐに準備要求信号（Ｂ）を送出する。ＤＭからの準備要求信号（Ｂ）を受信したプロッタデバイス３１は、ポリゴンモータの回転を開始する等の印刷準備を開始する。プロッタデバイス３１における印刷準備が終わり、何時でも印刷が可能な状態、すなわち感光体ドラム上への画像書き込みが可能な状態になると、プロッタデバイス３１は準備ＯＫ信号（Ｈ）をＤＭに返送する。プロセス信号Ｐ２に応じてＤＭから出力されるメモリデバイス３３の準備要求信号（Ｅ）は、上記したプロセス信号Ｐ１に応じてＤＭから出力される準備要求信号（Ａ）による処理が終了し、ＤＭからの開始要求信号（Ｄ）によるメモリ書込が開始された後に、メモリデバイス３３に対して要求される。これは、メモリデバイス３３がハード的に１つの構成であるため、書き込み準備と読み出し準備との２つの準備要求を同時に行うことができないためである。メモリデバイス３３の準備要求信号（Ｅ）は、例えば、画像データがハードディスクに格納されている場合には、ＤＲＡＭ等に読み出し、スキャナデバイス３２から読み込み中でＤＲＡＭ上に画像データが有る場合には、読み出しに必要な遅延時間を与える処理を行うものである。本実施形態では、メモリデバイス３３の読み出し準備が終わると、ＤＭに対してメモリ読み出しＯＫ信号（Ｊ）を送出する。メモリ読み出しＯＫ信号（Ｊ）は、メモリデバイス３３において書き込みが進んで所定の番地まで書き込まれた場合に、最初に書き込まれた番地の画像データが読み出し可能となるが、その時のタイミングを示す信号である。
【０００９】
ＤＭは、プロッタデバイス３１からの準備ＯＫ信号（Ｈ）と、メモリデバイス３３からのメモリ読み出しＯＫ信号（Ｊ）を、プロッタデバイス３１及びメモリデバイス３３からのメモリ読み出しに関する準備完了したことを示す準備完了信号（Ｆ）として受信する。ＤＭは、準備完了信号（Ｆ）を受信することにより、メモリデバイス３３とプロッタデバイス３１に対して、プロセス信号Ｐ２によるメモリデバイス３３から画像データの読み出し、及び、プロッタデバイス３１への書き出しを開始するための開始要求信号（Ｇ）を送出する。これにより、メモリデバイス３３から読み出された画像データのプロッタデバイス３１への書き出しが開始される。一方、プロセス信号Ｐ１によるメモリ書込を開始するためにＤＭから出力された開始要求信号（Ｄ）を受信したメモリデバイス３３では、書き込みを開始する。本実施形態では、メモリデバイス３３において書き込みが終了する前に読み出しが並行して実施される。
【００１０】
そして、本発明の実施形態においては、例えば各動作モードに応じてスキャナデバイス３２から送られてくる線速情報をＤＭに通知し、ＤＭにおいてその線速情報から最適なプロッタデバイス３１への読み取り開始指示タイミングを割り出し、高速な複写動作を行うようにした点に特徴がある。
このため、本実施の形態では、図２に示したＤＭからの準備要求には、図３に示すようにスキャナデバイス３２の各動作モード指示（カラー/白黒モード、解像度等）がパラメータとして付随しており、スキャナデバイス３２はそれらパラメータに応じたデバイス固有の線速判断/制御を行う。一般にカラーモード時の線速は白黒モード時のそれよりも低く、また印刷解像度が高くなるとそれに応じて線速値も低く設定される場合がある。これは、カラーモード時や高解像度時には画像転送されるデータ量が多くなるためであり、システムが使用している画像転送バスやスキャナデバイス３２が対応可能なデータ転送量を超えないようにするためである。
スキャナデバイス３２は、ＤＭから通知された各動作モード（カラー/白黒モード、解像度等）から判断した線速情報を準備完了のパラメータとしてＤＭに通知する（図３）。準備応答を返す時点でスキャナデバイス３２は各動作モードから線速情報を判断済であるので、ＤＭはスキャナデバイス３２からの線速情報を画像転送開始前にメモリデバイス３３に通知することが可能となっている。
メモリデバイス３３では、スキャナデバイス３２からの画像データの蓄積中に画像データの読み出し準備要求信号（Ｅ）をＤＭから受けた場合に、プロッタデバイス３１とスキャナデバイス３２から通知された線速度値から読み出し可能タイミングを算出してＤＭに通知する。したがって、カラー/白黒モード、解像度等によって線速値が異なるデバイスであっても、その各動作モード時におけるスキャナ・プロッタ線速の組み合わせに最適なタイミングでメモリデバイス３３はメモリ読み出しＯＫ信号（Ｊ）を発行することが可能となっている。
【００１１】
なお、本実施の形態では、プロッタデバイス３１の線速は固定の値を有するものとし、その値は図３に示すようにデバイス初期化時にプロッタデバイス３１からＤＭに通知される。
スキャナ・プロッタデバイス３１がＤＭに通知する線速情報は、システムに搭載されているデバイス毎、あるいは動作モード毎に固有の値を持つことになるが、スキャナ・プロッタデバイス３１以外ではシステム上にどのような線速スペックを有しているデバイスが搭載されているかを意識する必要は無く、常に以下の条件式が満たされるようなタイミングでメモリ読み出しＯＫ信号（Ｊ）をメモリデバイス３３は発行すればよい。
Ｔ＞Ｔｓ−Ｔｐ・・・（数１）
但し、Ｔｓ及びＴｐは以下に示す時間とする。
Ｔｓ：スキャナからの画像をメモリに全て書き込むのに要する時間
Ｔｐ：プロッタがメモリから画像を読み出して印刷するのに要する時間
時間Ｔｓは、スキャナデバイス３２による原稿画像の読み取り時間とメモリデバイス３３への書き込み時間の和であるが、実際にはスキャナデバイス３２による読み取り時間に比べてメモリデバイス３３への書き込み時間は非常に小さいことから、簡易にＴｓの値を求める場合には、原稿画像の長さをスキャナデバイス３２の線速（Ｖｓ）で割った値により求める。同様に、時間Ｔｐは、プロッタデバイス３１による印刷時間とメモリデバイス３３からの読み取り時間の和であるが、実際には印刷時間に比べてメモリデバイス３３への書き込み時間は非常に小さいことから、簡易にＴｐの値を求める場合には、転写紙の長さをプロッタデバイス３１の線速（Ｖｐ）で割った値により求める。Ｔを上記式の条件を満足する範囲内にしないと、スキャナデバイス３２からメモリデバイス３３に画像データを書き込んでいる最中に、画像データの読み出し処理が追いついてしまい、正しい画像を印刷することができなくなる。
例えば、原稿画像と転写紙の寸法が共にＡ４サイズであり、スキャナデバイス３２による読み取りもプロッタデバイス３１による書き出しもＡ４横サイズである２１０ｍｍが実施され、更に、スキャナデバイス３２の読み取り線速Ｖｓが３００ｍｍ／ｓであり、プロッタデバイス３１の書き出し線速Ｖｐが５００ｍｍ／ｓであるとする。この場合、スキャナデバイス３２の読み取り時間Ｔｓは、２１０／３００＝０．７ｓとなり、Ｔｐ＝７００ｍｓということになる。同様に、プロッタデバイス３１の書き出し時間Ｔｐは、２１０／５００＝０．４２ｓとなり、Ｔｐ＝４２０ｍｓということになる。従って、この場合の時間Ｔは７００ｍｓ−４２０ｍｓ＝２８０ｍｓよりも大きい値であることが要求される。
【００１２】
尚、上記の本実施形態では、プロッタデバイス３１による印刷（書き出し）時間Ｔｐがスキャナデバイス３２による読み取り時間Ｔｓより短い場合を示したが、逆に、スキャナデバイス３２による読み取り時間Ｔｓがプロッタデバイス３１による印刷（書き出し）時間Ｔｐより短い場合もある。例えば、スキャナデバイス３２による読み取りを縮小５０％で行う場合には、通常の読み取り時の２倍の線速Ｖｓ＝６００ｍｍ／ｓとなるのでＴｓ＝０．３５ｓとなり、Ｔｓ＝３５０ｍｓということになり、その場合には、ＴｓはＴｐよりも小さい値なので、上記の式の条件を満足する正数Ｔは得られない。しかし、この場合のスキャナデバイス３２で読み取った画像データをメモリデバイス３３へ書き込む速度は、プロッタデバイス３１で印刷するために画像データをメモリデバイス３３から読み出す速度よりも上回るため、読み出しＯＫ信号（Ｊ）のタイミングに合わせてＤＭにて生成される開始要求信号（Ｇ）のタイミングまでをＴとすればよいことになる。従って、この場合はＤＭにおいて、メモリデバイス３３から書き込み終了後に出力される書き込み終了信号を待たずに、メモリデバイス３３からの読み出しＯＫ信号（Ｊ）に合わせて開始要求信号（Ｇ）を生成してメモリデバイス３３とプロッタデバイス３１に出力することにより、メモリデバイス３３から読み出された画像データのプロッタデバイス３１への書き出しが開始される。以上のようにスキャナデバイス３２、メモリデバイス３３、プロッタデバイス３１、及び、ＤＭを制御することにより、スキャナ線速とプロッタ線速が異なる画像形成装置において、自動原稿給紙装置（ＡＤＦ）を用いて原稿を1 枚ずつコピーする場合、つまり、毎回スキャン動作を伴う複写動作を行う場合であっても、アプリケーション層側では各デバイスの速度差を意識せずにプロセス信号Ｐ１、Ｐ２の信号を発生するのみで複写動作の要求を行うことができる。また、スキャナデバイス３２による原稿の読み込みからプロッタデバイス３１による印刷までの時間を最小限にして全体のスループットも最大限まで上げることができる。
【００１３】
なお、本実施の形態では、図２に示されるメモリ書き込み・読み出しの様子は白黒モードの場合を想定しているが、カラーモードの場合においても同様に制御を拡張可能である。カラースキャン・印刷動作の場合は、図２中のメモリ書き込み・読み出しが必要プレーン分（フルカラーモードの場合、ＫＣＭＹの４プレーン）同時実行されることになる。すなわち、各デバイスからデバイスマネージャに発行される準備完了通知が必要プレーン分だけ発生し、プレーン毎に独立にメモリ読み出しＯＫがメモリデバイスからデバイスマネージャに通知されることになる。
【図面の簡単な説明】
【００１４】
【図１】本発明の画像形成装置の一実施形態の概略構成を示すブロック図である。
【図２】図１の画像形成装置における複写制御の一実施形態を示すタイミングチャートである。
【図３】スキャナ、プロッタとデバイスマネージャとの間の情報伝送の様子を示した図である。
【符号の説明】
【００１５】
１  アプリケーション層、２  マネージャ層、３  デバイス層、１１  コピーアプリケーション、１２  ファクシミリアプリケーション、１３  プリンタアプリケーション、２１  デバイスマネージャ、３１  プロッタ、３２  スキャナ、３３  メモリ、３４  外部画像処理部、３１１  ＬＤ、３１２  ポリゴンモータ、３２１  スキャナモータ、３２２  露光ランプ／ＣＣＤ、３３１  画像蓄積ハードディスク
【図１】
2006007736.tif 000003
【図２】
2006007736.tif 000004
【図３】
2006007736.tif 000005